(57)【要約】      （修正有）【課題】試料に悪影響を与えることなく水分の蒸発を抑制することができる自動分析装置及びサンプラを提供する。【解決手段】試料を収容する試料容器と、試料容器を移動可能に保持するホルダ１２と、試料容器内の試料を水分の蒸発を抑制するための水を貯留する供給部４２と、供給部４２から供給される水を吸収する保水部材４３とを備え、保水部材４３は供給部４２から供給される水を吸収して、試料容器近傍で蒸発可能なように保持する。【選択図】図３
2016205938.tif 000002
【特許請求の範囲】
【請求項１】
試料及び試薬の混合液を測定する自動分析装置において、
前記試料を収容する試料容器を移動可能に保持するホルダと、
前記試料容器内の試料に含まれる水分の蒸発を抑制するための水を貯留する供給部と、
前記ホルダに保持された前記試料容器周辺に配置され、前記供給部から供給される水を吸
収して前記試料容器近傍で蒸発可能なように保持する保水部材とを
備えたことを特徴とする自動分析装置。
【請求項２】
前記供給部は、前記ホルダの上方に配置され、
前記保水部材は、前記ホルダ上面上に配置され、前記供給部から滴下される水を吸収する
ことを特徴とする請求項１に記載の自動分析装置。
【請求項３】
前記保水部材に一端部が接触して配置され、前記供給部に貯留された水に他端部が接触
して配置された、前記供給部の水を吸収して前記保水部材に供給する供給部材を有するこ
とを特徴とする請求項１に記載の自動分析装置。
【請求項４】
前記供給部は、前記ホルダが格納される上側に開口部が形成された前記水を貯留する試
料ケースを有し、
前記保水部材は、前記ホルダ上面上に配置されていることを特徴とする請求項３に記載の
自動分析装置。
【請求項５】
前記供給部は、前記ホルダが格納される上側に開口部が形成された前記水を貯留する試
料ケースを有し、
前記保水部材は、前記試料ケース内面に配置され、前記試料ケース内に貯留された水をこ
の水と接触する下端部から吸収することを特徴とする請求項１に記載の自動分析装置。
【請求項６】
前記供給部は、前記ホルダが格納される上側に開口部が形成された前記水を貯留する試
料ケース及びこの試料ケースを冷却する冷却器を有し、
前記保水部材は、前記試料ケース内面に配置され、前記試料ケースの冷却により前記ケー
ス内で結露する結露水を吸収することを特徴とする請求項１に記載の自動分析装置。
【請求項７】
前記ホルダは、円形をなす上面の円周上に形成された前記試料容器に係合する複数の開
口部を有することを特徴とする請求項１乃至請求項６のいずれかに記載の自動分析装置。
【請求項８】
前記ホルダは、上面の長手方向に一列に形成された前記試料容器に係合する複数の開口
部を有することを特徴とする請求項１又は請求項２に記載の自動分析装置。
【請求項９】
前記保水部材は、前記ホルダの短手方向における前記開口部よりも端部側に滴下供給さ
れる水を吸収することを特徴とする請求項８に記載の自動分析装置。
【請求項１０】
試料を収容する試料容器を移動可能に保持するホルダと、
前記試料容器内の試料に含まれる水分の蒸発を抑制するための水を貯留する供給部と、
前記ホルダに保持された前記試料容器周辺に配置され、前記供給部から供給される水を吸
収して前記試料容器近傍で蒸発可能なように保持する保水部材とを
備えたことを特徴とするサンプラ。
【請求項１１】
前記ホルダ上面上に配置された前記保水部材に一端部が接触して配置され、前記ホルダ
の下部に配置された前記供給部に貯留される水に他端部が接触して配置された、前記供給
部の水を吸収して前記保水部材に供給する供給部材を有することを特徴とする請求項１０
に記載のサンプラ。
【請求項１２】
前記ホルダは、上面の長手方向に一列に形成された前記試料容器に係合する複数の開口
部を有することを特徴とする請求項１０又は請求項１１に記載のサンプラ。
【発明の詳細な説明】
【技術分野】
【０００１】
本発明の実施形態は、被検体から採取された試料等の液体に含まれる成分を分析する自
動分析装置及びサンプラに関する。
【背景技術】
【０００２】
自動分析装置は生化学検査項目や免疫検査項目等を対象とし、被検体から採取された試
料と各検査項目の分析に用いる試薬との混合液の反応によって生ずる色調や濁りの変化を
光学的に測定する。この測定により、被検試料中の様々な検査項目成分の濃度や酵素の活
性等で表される分析データを生成する。
【０００３】
この自動分析装置では、被検体を検査する検査項目が設定された試料を収容する試料容
器がホルダに保持され、検査項目毎に試料容器から反応容器へ試料の分注が行われる。そ
して、試料の数や検査項目の数が多い場合に分注が行われるまでの間に水分が蒸発して各
試料容器内の試料が濃縮するのを防ぐため、試料容器の周囲をヒータで水を加熱して加湿
する方法や、水を噴霧して加湿する方法が知られている。
【先行技術文献】
【特許文献】
【０００４】
【特許文献１】特開２００６−１２５９８１号公報
【特許文献２】特開平８−２５４５３６号公報
【発明の概要】
【発明が解決しようとする課題】
【０００５】
しかしながら、ヒータで水を加熱して加湿する場合、試料容器内の試料の温度が上昇し
て変質する問題がある。また、水の加熱や水の噴霧により加湿する場合、試料容器内に結
露水が混入して試料が希釈される問題がある。
【０００６】
実施形態は、上記問題点を解決するためになされたもので、試料に悪影響を与えること
なく水分の蒸発を抑制することができる自動分析装置及びサンプラを提供することを目的
とする。
【課題を解決するための手段】
【０００７】
上記目的を達成するために、実施形態の自動分析装置は、試料及び試薬の混合液を測定
する自動分析装置において、前記試料を収容する試料容器を移動可能に保持するホルダと
、前記試料容器内の試料に含まれる水分の蒸発を抑制するための水を貯留する供給部と、
前記ホルダに保持された前記試料容器周辺に配置され、前記供給部から供給される水を吸
収して前記試料容器近傍で蒸発可能なように保持する保水部材とを備えたことを特徴とす
る。
【図面の簡単な説明】
【０００８】
【図１】第１の実施形態に係る自動分析装置の構成を示すブロック図。
【図２】第１の実施形態に係る分析部の構成を示す斜視図。
【図３】第１の実施形態に係るサンプラ部の構成を示す図。
【図４】第１の実施形態に係る保水部材の構成を示す平面図。
【図５】第２の実施形態に係るサンプラ部の構成を示す平面図。
【図６】図５のＡ−Ａ線矢視断面図。
【図７】第３の実施形態に係るサンプラ部の構成を示す図。
【図８】図７のＡ−Ａ線矢視断面図。
【図９】第４の実施形態に係るサンプラ部の構成を示す断面図。
【図１０】第５の実施形態に係るサンプラ部の構成を示す図。
【図１１】第５の実施形態に係るホルダ及び保水部材の構成を示す図。
【図１２】第６の実施形態に係るサンプラ部の構成を示す図。
【図１３】第６の実施形態に係るホルダ、供給部及び供給部材の構成の詳細を示す図。
【発明を実施するための形態】
【０００９】
以下、図面を参照して実施形態を説明する。
【００１０】
（第１の実施形態）
図１は、第１の実施形態に係る自動分析装置の構成を示したブロック図である。この自
動分析装置１００は、各検査項目の標準試料や被検試料と各検査項目の分析用の試薬との
混合液を測定して標準データや被検データを生成する分析部１０と、分析部１０の測定に
関る各分析ユニットを移動する移動機構部６１と、移動機構部６１を制御する分析制御部
６２と、分析部１０で生成された標準データや被検データを処理して検量データや分析デ
ータの生成を行うデータ処理部７０とを備えている。
【００１１】
また、自動分析装置１００は、データ処理部７０で生成された検量データや分析データ
を印刷出力や表示出力する出力部８０と、各検査項目の分析パラメータを設定するための
入力等を行う操作部９０と、分析制御部６２、データ処理部７０及び出力部８０を統括し
て制御するシステム制御部９１とを備えている。
【００１２】
図２は、分析部１０の構成を示した斜視図である。この分析部１０は、標準試料や被検
試料等の各試料を収容する試料容器１１と、複数の試料容器１１を移動可能に保持するホ
ルダ１２を有するサンプラ部４０とを備えている。また、各検査項分析用の例えば１試薬
系及び２試薬系の第１試薬並びに２試薬系の第２試薬を収容する試薬容器１３と、試薬容
器１３内の第１試薬を保冷する試薬庫１５と、試薬容器１３内の第２試薬を保冷する試薬
庫１６と、試薬容器１３を移動可能に保持する試薬庫１５，１６内に配置された２つの試
薬ラック１４とを備えている。また、円周上に配置された複数の反応容器１７を一方向へ
回転移動可能に保持する反応テーブル１８を備えている。
【００１３】
また、サンプラ部４０のホルダ１２に保持された試料容器１１内の試料を吸引して反応
容器１７内へ吐出する分注を行うサンプル分注プローブ１９と、サンプル分注プローブ１
９を回動移動及び上下移動可能に保持するサンプル分注アーム２０とを備えている。また
、試薬ラック１４に保持された試薬容器１３内の第１試薬を吸引して試料が吐出された反
応容器１７内に吐出する分注を行う第１試薬分注プローブ２１と、第１試薬分注プローブ
２１を回動移動及び上下移動可能に保持する第１試薬分注アーム２２とを備えている。
【００１４】
また、反応容器１７内に吐出された試料及び第１試薬の混合液を撹拌する第１撹拌子２
３と、第１撹拌子２３を回動移動及び上下移動可能に保持する第１撹拌アーム２４とを備
えている。また、試薬ラック１４に保持された試薬容器１３内の第２試薬を吸引して第１
試薬が吐出された反応容器１７内に吐出する分注を行う第２試薬分注プローブ２５と、第
２試薬分注プローブ２５を回動移動及び上下移動可能に保持する第２試薬分注アーム２６
とを備えている。
【００１５】
また、反応容器１７内の試料並びに第１及び第２試薬の混合液を撹拌する第２撹拌子２
７と、第２撹拌子２７を回動移動及び上下移動可能に保持する第２撹拌アーム２８と、反
応容器１７内の混合液に光を照射して光学的に測定する測定部２９と、測定部２９で測定
を終了した反応容器１７内を洗浄する洗浄ノズル３０とを備えている。
【００１６】
そして、測定部２９は、反応容器１７に光を照射し、反応容器１７内の標準試料や被検
試料を含む混合液を透過した光を検出する検出信号に基づいて、例えば吸光度データや吸
光度データの変化量で表される標準データや被検データを生成する。そして、生成した標
準データや被検データをデータ処理部７０に出力する。
【００１７】
図１に示した移動機構部６１は、分析部１０の各分析ユニットを駆動する機構や、各ポ
ンプ及びこのポンプを駆動する機構等を備えている。そして、サンプラ部４０のホルダ１
２を回動駆動して試料容器１１を移動する。また、各試薬ラック１４を回動駆動して試薬
容器１３を移動する。また、反応テーブル１８を回転駆動して反応容器１７を移動する。
また、サンプル分注アーム２０、第１試薬分注アーム２２、第２試薬分注アーム２６、第
１撹拌アーム２４、及び第２撹拌アーム２８を夫々回動駆動及び上下駆動して、サンプル
分注プローブ１９、第１試薬分注プローブ２１、第２試薬分注プローブ２５、第１撹拌子
２３、及び第２撹拌子２７をそれぞれ移動する。また、洗浄ノズル３０を上下移動する。
【００１８】
また、移動機構部６１は、各ポンプを駆動する。そして、サンプル分注プローブ１９に
試料の吸引及び吐出を行わせる。また、第１試薬分注プローブ２１に第１試薬や希釈液の
吸引及び吐出を行わせる。また、第２試薬分注プローブ２５に第２試薬の吸引及び吐出を
行わせる。また、洗浄ノズル３０に反応容器１７内の混合液の吸引、反応容器１７内の洗
浄を行うための洗浄液の吐出及び吸引等の洗浄を行わせる。また、第１撹拌子２３を駆動
して反応容器１７内の混合液の撹拌を行わせる。また、第２撹拌子２７を駆動して反応容
器１７内の混合液の撹拌を行わせる。
【００１９】
データ処理部７０は、分析部１０の測定部２９から出力された標準データや被検データ
を処理して各検査項目の検量データや分析データを生成する演算部７１と、演算部７１で
生成された標準データや分析データを保存するデータ記憶部７２とを備えている。
【００２０】
演算部７１は、測定部２９から出力された標準データ及びこの標準データの標準試料に
予め設定された標準値の関係を示す検量データを生成し、生成した検量データを出力部８
０に出力すると共にデータ記憶部７２に保存する。
【００２１】
また、測定部２９から出力された被検データに対応する検査項目の検量データをデータ
記憶部７２から読み出し、読み出した検量データを用いて被検データから濃度値や酵素の
活性値で表される分析データを生成する。そして、生成した分析データを出力部８０に出
力すると共にデータ記憶部７２に保存する。
【００２２】
データ記憶部７２は、ハードディスク等のメモリデバイスを備え、演算部７１から出力
された検量データを検査項目毎に保存する。また、演算部７１から出力された各検査項目
の分析データを被検試料毎に保存する。
【００２３】
出力部８０は、データ処理部７０の演算部７１から出力された検量データや分析データ
を印刷出力する印刷部８１及び表示出力する表示部８２を備えている。そして、印刷部８
１は、プリンタなどを備え、演算部７１から出力された検量データや分析データを予め設
定されたフォーマットに従って、プリンタ用紙などに印刷する。
【００２４】
表示部８２は、ＣＲＴや液晶パネルなどのモニタを備え、演算部７１から出力された検
量データや分析データを表示する。また、各検査項目の分析パラメータを設定するための
分析パラメータ設定画面、被検試料毎にこの被検試料を識別する氏名やＩＤ等の被検識別
情報の設定及び検査に必要な検査項目を設定するための検査項目設定画面等を表示する。
【００２５】
操作部９０は、キーボード、マウス、ボタン、タッチキーパネルなどの入力デバイスを
備え、各検査項目の分析パラメータを設定するための入力、被検試料の被検識別情報及び
検査項目を設定するための入力等を行う。
【００２６】
システム制御部９１は、ＣＰＵ及び記憶回路を備え、操作部９０からの操作により入力
されたコマンド信号、各検査項目の分析パラメータの情報、被検識別情報及び検査項目の
情報等の入力情報を記憶回路に記憶した後、これらの入力情報に基づいて、分析制御部６
２、データ処理部７０、及び出力部８０を統括してシステム全体を制御する。
【００２７】
次に、図２乃至図４を参照して、分析部１０のサンプラ部４０の構成の一例を説明する
。  
図３は、サンプラ部４０の構成を示した図である。  
このサンプラ部４０は、上側に開口部が形成された試料ケース４１と、試料ケース４１
内に格納されたホルダ１２とを備えている。また、試料容器１１内の試料に含まれる水分
の蒸発を抑制するための水を貯留する供給部４２を備えている。また、ホルダ１２に保持
された試料容器１１周辺に配置され、供給部４２から供給される水を吸収して試料容器１
１近傍で蒸発可能なように保持する保水部材４３を備えている。
【００２８】
図４は、ホルダ１２及び保水部材４３の構成を示した平面図である。  
このホルダ１２は、円形をなす上面の２つの同心円周上に形成された試料容器１１に係
合する複数の開口部１２１を有し、開口部１２１に貫入された試料容器１１周辺である上
面上に保水部材４３が配置されている。そして、試料容器１１を同心円に沿って移動可能
に保持する。
【００２９】
図３に示した供給部４２は、保水部材４３に供給する水を貯留する貯留槽と、この貯留
槽に貯留された水を滴下可能なように設けたノズルと、このノズルと貯留槽間を連通する
流路を開閉する電磁弁と、貯留槽に水を供給するための移動機構部６１により駆動される
ポンプとを備えている。そして、分析制御部６２の制御により、保水部材４３が水を保持
した状態を維持可能なように、予め設定された時間間隔で所定量の水を保水部材４３上方
から滴下する。また、保水部材４３に供給する水がホルダ１２に保持された試料容器１１
内に入らないように、ホルダ１２に互いに隣り合う開口部１２１間の保水部材４３上面上
に滴下する。
【００３０】
このように、ホルダ１２に保持された試料容器１１周辺である互いに隣り合う開口部１
２１間の保水部材４３上面上に滴下することにより、試料容器１１近傍を加湿することが
できる。
【００３１】
図４に示した保水部材４３は、水の吸収、浸透性及び保持に優れた例えば多孔質構造の
親水生ポリウレタンスポンジにより構成され、試料容器１１周辺であるホルダ１２の上面
上に全体に亘って配置される。そして、供給部４２から供給された水を吸収し、吸収した
水をホルダ１２の上面全体に行き亘らせて蒸発可能なように保持する。
【００３２】
このように、ホルダ１２の上面上に保水部材４３を配置し、供給部４２から保水部材４
３に水を供給することにより、保水部材４３全体で水を保持することができる。そして、
保水部材４３に保持された水が全面から自然蒸発して試料容器１１近傍を加湿することが
できる。これにより、試料容器１１内の試料の変質や試料への結露水の混入を防いで、試
料容器１１内の試料に含まれる水分の蒸発を抑制することができる。
【００３３】
なお、保水部材４３の開口部１２１よりも内周側の上面上に滴下するように実施しても
よい。これにより、保水部材４３に供給される水がホルダ１２に保持された試料容器１１
内に入らないために、ホルダ１２の回動動作に関係なく任意のタイミングで水を滴下させ
ることができる。
【００３４】
以上述べた第１の実施形態によれば、試料容器１１を移動可能に保持するホルダ１２上
面上に保水部材４３を配置し、供給部４２により上方から保水部材４３に水を供給するこ
とにより、保水部材４３から水が自然蒸発して試料容器１１近傍を加湿することができる
。これにより、試料容器１１内の試料に悪影響を与えることなく水分の蒸発を抑制するこ
とができる。
【００３５】
（第２の実施形態）
図５及び図６は、第２の実施形態に係る自動分析装置のサンプラ部の構成を示した図で
ある。このサンプラ部４０ａの平面図を図５に示し、図５のＡ−Ａ線矢視断面を図６に示
している。このサンプラ部４０ａでは、図３に示した第１の実施形態に係るサンプラ部４
０の各ユニットと同じ構成及び同じ機能を有するユニットについては同一の符号を付して
詳細な説明を省略する。
【００３６】
サンプラ部４０ａは、試料容器１１内の試料に含まれる水分の蒸発を抑制するための水
を貯留する供給部４２ａ、ホルダ１２及び保水部材４３を備えている。また、保水部材４
３と同じ部材により構成される複数の供給部材４４を備えている。
【００３７】
供給部４２ａは、保水部材４３に供給する水を貯留する貯留槽として機能する試料ケー
ス４１、この試料ケース４１に水を供給するための移動機構部６１により駆動されるポン
プとを備えている。
【００３８】
供給部材４４は、上端部が保持部材４３に接触して配置され、下端部が試料ケース４１
内の底部に貯留された水に接触して配置される。そして、試料ケース４１内に貯留された
水を吸収して保水部材４３に供給する。保水部材４３は供給部材４４からの水を吸収し、
吸収した水をホルダ１２の上面全体に行き亘らせて蒸発可能なように保持する。
【００３９】
なお、試料ケース４１内に供給された水の液面を検出する液面センサを設け、液面が所
定の高さよりも下がったときに所定の高さになるまで水を供給するように実施してもよい
。
【００４０】
このように、ホルダ１２の上面上に保水部材４３を配置し、試料ケース４１内の底部に
貯留した水を供給部材４４により保水部材４３へ供給することにより、保水部材４３全体
で水を保持することができる。そして、保水部材４３に保持された水が全面から自然蒸発
して試料容器１１近傍を加湿することができる。これにより、試料容器１１内の試料の変
質や試料への結露水の混入を防いで、試料容器１１内の試料に含まれる水分の蒸発を抑制
することができる。
【００４１】
以上述べた第２の実施形態によれば、試料容器１１を移動可能に保持するホルダ１２上
面上に保水部材４３を配置し、試料ケース４１内に貯留された水を供給部材４４により下
方から吸収して保水部材４３に供給することにより、保水部材４３から水が自然蒸発して
試料容器１１近傍を加湿することができる。これにより、試料容器１１内の試料に悪影響
を与えることなく水分の蒸発を抑制することができる。
【００４２】
（第３の実施形態）
図７及び図８は、第３の実施形態に係る自動分析装置のサンプラ部の構成を示した図で
ある。このサンプラ部４０ｂの平面図を図７に示し、図７のＡ−Ａ線矢視断面を図８に示
している。このサンプラ部４０ｂでは、図３に示した第１の実施形態に係るサンプラ部４
０及び図５に示した第２の実施形態に係るサンプラ部４０ａの各ユニットと同じ構成及び
同じ機能を有するユニットについては同一の符号を付して詳細な説明を省略する。
【００４３】
サンプラ部４０ｂは、供給部４２ａ及びホルダ１２を備えている。また、ホルダ１２に
保持された試料容器１１周辺に配置され、試料容器１１内の試料に含まれる水分の蒸発を
抑制するための試料ケース４１内の底部に貯留される水を吸収して試料容器１１近傍で蒸
発可能なように保持する保水部材４３ａを備えている。
【００４４】
保水部材４３ａは、水の吸収、浸透及び保持に優れた部材により構成され、ホルダ１２
を包囲するように試料ケース４１内の底面以外の面に配置されている。また、下端部が試
料ケース４１内に貯留される水と接触するように配置されている。そして、試料ケース４
１内の水を吸収し、吸収した水を試料ケース４１内の底面以外の全面に行き亘わたらせて
蒸発可能なように保持する。なお、保水部材４３ａを試料ケース４１内面の全体に亘って
配置するように実施してもよい。
【００４５】
このように、ホルダ１２を包囲するように試料ケース４１内面に保水部材４３ａを配置
し、試料ケース４１内に保水部材４３ａと接触させて水を貯留することにより、保水部材
４３ａ全体で水を保持することができる。そして、試料ケース４１内に貯留された水及び
保水部材４３ａに保持された水が自然蒸発して試料容器１１近傍を加湿することができる
。これにより、試料容器１１内の試料の変質や試料への結露水の混入を防いで、試料容器
１１内の試料に含まれる水分の蒸発を抑制することができる。
【００４６】
以上述べた第３の実施形態によれば、試料容器１１を移動可能に保持するホルダ１２が
格納された試料ケース４１内面にホルダ１２を包囲するように保水部材４３ａを配置し、
試料ケース４１内に水を貯留することにより、試料ケース４１内の底部及び保水部材４３
ａから水が自然蒸発して試料容器１１近傍を加湿することができる。これにより、試料容
器１１内の試料に悪影響を与えることなく水分の蒸発を抑制することができる。
【００４７】
（第４の実施形態）
図９は、第４の実施形態に係る自動分析装置のサンプラ部の構成を示した断面図である
。このサンプラ部４０ｃでは、図８に示した第３の実施形態に係るサンプラ部４０ｂの各
ユニットと同じ構成及び同じ機能を有するユニットについては同一の符号を付して詳細な
説明を省略する。
【００４８】
サンプラ部４０ｃは、試料容器１１内の試料に含まれる水分の蒸発を抑制するための水
を貯留する供給部４２ｂ及びホルダ１２を備えている。また、ホルダ１２に保持された試
料容器１１周辺に配置され、供給部４２ｂから供給される水を吸収して試料容器１１近傍
で蒸発可能なように保持する保水部材４３ｂを備えている。
【００４９】
供給部４２ｂは、試料ケース４１及びこの試料ケース４１を冷却する冷却器４５を備え
ている。そして、試料ケース４１を冷却することにより、試料ケース４１内面に結露した
水を保水部材４３ｂに供給する。
【００５０】
保水部材４３ｂは、水の吸収、浸透及び保持に優れた部材により構成され、ホルダ１２
を包囲するように試料ケース４１内面全体に配置されている。そして、供給部４２ｂから
供給される水を吸収し、吸収した水を試料ケース４１内の全面に行き亘わたらせて蒸発可
能なように保持する。
【００５１】
このように、ホルダ１２を包囲するように試料ケース４１内面に保水部材４３ｂを配置
し、供給部４２ｂから供給される水を吸収することにより、保水部材４３ｂで水を保持す
ることができる。そして、保水部材４３ｂに保持された水が自然蒸発して試料容器１１近
傍を加湿することができる。これにより、試料容器１１内の試料の変質や試料への結露水
の混入を防いで、試料容器１１内の試料に含まれる水分の蒸発を抑制することができる。
【００５２】
以上述べた第４の実施形態によれば、試料容器１１を移動可能に保持するホルダ１２が
格納された試料ケース４１内面にホルダ１２を包囲するように保水部材４３ｂを配置し、
供給部４２ｂから供給される水を吸水する保水部材４３ｂより水が自然蒸発して試料容器
１１近傍を加湿することができる。これにより、試料容器１１内の試料に悪影響を与える
ことなく水分の蒸発を抑制することができる。
【００５３】
（第５の実施形態）
図１０は、第５の実施形態に係る自動分析装置のサンプラ部の構成を示した図である。
このサンプラ部４０ｄでは、図３に示した第１の実施形態に係るサンプラ部４０の各ユニ
ットと同じ構成及び同じ機能を有するユニットについては同一の符号を付して詳細な説明
を省略する。
【００５４】
サンプラ部４０ｄは、複数の試料容器１１を移動可能に保持するホルダ１２ａと、試料
容器１１内の試料に含まれる水分の蒸発を抑制するための水を貯留する供給部４２とを備
えている。また、ホルダ１２ａに保持された試料容器１１周辺に配置され、供給部４２か
ら滴下供給される水を吸収して試料容器１１近傍で蒸発可能なように保持する保水部材４
３ｃを備えている。
【００５５】
図１１は、ホルダ１２ａ及び保水部材４３ｃの構成を示した平面図である。  
このホルダ１２ａは、上面の長手方向に一列に形成された試料容器１１に係合する複数
の開口部１２ａ１を有し、開口部１２ａ１から挿入された試料容器１１周辺である上面上
に保水部材４３ｃが配置されている。そして、試料容器１１を配列方向及びこの配列方向
に対して垂直な方向へ移動可能に保持する。
【００５６】
保水部材４３ｃは、水の吸収、浸透及び保持に優れた部材により構成され、試料容器１
１近傍であるホルダ１２ａの上面上に全体に亘って配置される。そして、短手方向の一端
部側における各開口部１２ａ１の部分が切り欠かれている。そして、互いに隣り合う開口
部１２ａ１間に供給部４２から滴下される水を吸収し、吸収した水をホルダ１２ａの上面
全体に行き亘らせて蒸発可能なように保持する。
【００５７】
このように、ホルダ１２ａに保持された試料容器１１周辺である互いに隣り合う開口部
１２ａ１間の保水部材４３ｃ上面上に滴下することにより、試料容器１１近傍を加湿する
ことができる。
【００５８】
図１０に示した供給部４２は、ホルダ１２ａが下方に位置しているとき、保水部材４３
ｃが水を保持した状態を維持可能なように、予め設定された時間間隔で所定量の水を保水
部材４３ｃに滴下する。また、供給する水がホルダ１２ａに保持された試料容器１１内に
入らないように、且つ、供給する水が保水部材４３ｃの全体に行き亘りやすいように、ホ
ルダ１２ａの移動に合わせて、保水部材４３ｃの長手方向における互いに隣り合う開口部
１２ａ１間の上面上に滴下する。
【００５９】
このように、ホルダ１２ａの上面上に保水部材４３ｃを配置し、供給部４２から滴下さ
せて保水部材４３ｃに水を供給することにより、保水部材４３ｃ全体で水を保持すること
ができる。そして、保水部材４３ｃに保持された水が全面から水が自然蒸発して試料容器
１１近傍を加湿することができる。これにより、試料容器１１内の試料の変質や試料への
結露水の混入を防いで、試料容器１１内の試料に含まれる水分の蒸発を抑制することがで
きる。
【００６０】
なお、保水部材４３ｃの長手方向における一端から他端までの上面上のうち、短手方向
における各開口部１２ａ１よりも他端部側の上面上に滴下するように実施してもよい。こ
れにより、保水部材４３ｃに供給される水がホルダ１２に保持された試料容器１１内に入
らないため、供給部４２はホルダ１２ａが下方に位置している間、任意のタイミングで滴
下させることができる。
【００６１】
以上述べた第５の実施形態によれば、試料容器１１を移動可能に保持するホルダ１２ａ
上面上に水を吸収保持する保水部材４３ｃを配置し、供給部４２により上方から保水部材
４３ｃに水を供給することにより、保水部材４３ｃから水が自然蒸発して試料容器１１近
傍を加湿することができる。これにより、試料容器１１内の試料に悪影響を与えることな
く水分の蒸発を抑制することができる。
【００６２】
（第６の実施形態）
図１２は、第６の実施形態に係る自動分析装置のサンプラ部の構成を示した図である。
このサンプラ部４０ｅでは、図１０に示した第５の実施形態に係るサンプラ部４０ｄの各
ユニットと同じ構成及び同じ機能を有するユニットについては同一の符号を付して詳細な
説明を省略する。
【００６３】
サンプラ部４０ｅは、複数の試料容器１１を移動可能に保持するホルダ１２ｂを備えて
いる。また、ホルダ１２ｂの下部に配置され、試料容器１１内の試料に含まれる水分の蒸
発を抑制するための水を貯留する供給部４２ｃを備えている。また、ホルダ１２ｂに保持
された試料容器１１周辺に配置され、供給部４２ｃにより供給される水を吸収して試料容
器１１近傍で蒸発可能なように保持する保水部材４３ｃを備えている。また、ホルダ１２
ｂに配置され、保水部材４３と同じ部材により構成される複数の供給部材４４ａを備えて
いる。
【００６４】
図１３は、ホルダ１２ｂ、供給部４２ｃ及び供給部材４４ａの構成の詳細を示した図で
ある。そして、図１３（ａ）はホルダ１２ｂを示し、図１３（ｂ）は図１３（ａ）のＡ−
Ａ線矢視断面図を示している。このホルダ１２ｂは、上面の長手方向に一列に形成された
試料容器１１に係合する複数の開口部１２ｂ１を有し、開口部１２ｂ１から挿入された試
料容器１１周辺である上面上全体に保水部材４３ｃが配置されている。そして、試料容器
１１を配列方向及びこの配列方向に垂直な方向へ移動可能に保持する。
【００６５】
各供給部材４４ａは、供給部４２ｃとホルダ１２ｂ上面の間に互いに平行に配置される
。また、上端部が保持部材４３ｃに接触して配置され、下端部が供給部４２ｃに貯留され
た水に接触して配置される。そして、供給部４２ｃに貯留された水を吸収して保水部材４
３ｃに供給する。保水部材４３ｃは供給部材４４ａから供給された水を吸収し、吸収した
水をホルダ１２ｂの上面全体に行き亘らせて蒸発可能なように保持する。
【００６６】
このように、ホルダ１２ｂの上面上に保水部材４３ｃを配置し、ホルダ１２ｂ下部に配
置された供給部４２ｃの水を吸収させて保水部材４３ｃに供給することにより、保水部材
４３ｃより水が自然蒸発して試料容器１１近傍を加湿することができる。これにより、試
料容器１１内の試料の変質や試料への結露水の混入を防いで、試料容器１１内の試料に含
まれる水分の蒸発を抑制することができる。
【００６７】
以上述べた第６の実施形態によれば、試料容器１１を移動可能に保持するホルダ１２ｂ
上面上に保水部材４３ｃを配置し、ホルダ１２ｂに配置された供給部４２ｃの水を供給部
材４４ａに吸収させて保水部材４３ｃに供給することにより、保水部材４３ｃより水が自
然蒸発して試料容器１１近傍を加湿することができる。これにより、試料容器１１内の試
料に悪影響を与えることなく水分の蒸発を抑制することができる。
【００６８】
本発明のいくつかの実施形態を説明したが、これらの実施形態は、例として提示したも
のであり、発明の範囲を限定することを意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれると共に、特許請求の範囲に記載された発明とその均等の範囲に含まれる。
【符号の説明】
【００６９】
１１  試料容器
１２，１２ａ，１２ｂ  ホルダ
４０，４０ａ，４０ｂ，４０ｃ，４０ｄ，４０ｅ  サンプラ部
４１  試料ケース
４２，４２ａ，４２ｂ，４２ｃ  供給部
４３，４３ａ，４３ｂ，４３ｃ  保水部材
４４，４４ａ  供給部材
１００  自動分析装置
【図１】
2016205938.tif 000003
【図２】
2016205938.tif 000004
【図３】
2016205938.tif 000005
【図４】
2016205938.tif 000006
【図５】
2016205938.tif 000007
【図６】
2016205938.tif 000008
【図７】
2016205938.tif 000009
【図８】
2016205938.tif 000010
【図９】
2016205938.tif 000011
【図１０】
2016205938.tif 000012
【図１１】
2016205938.tif 000013
【図１２】
2016205938.tif 000014
【図１３】
2016205938.tif 000015